(57)【要約】 【課題】  一般的な扉として利用でき、浸水防止の際に閉鎖した防水扉の吊元側と先端側を引寄せして水密に塞ぐことができる簡易で安価な防水扉装置を提供すること。【解決手段】  防水扉１２を出入口部５を備えた開口枠６の竪枠７に蝶番装置１０により揺動可能に枢着し、蝶番装置１０を、開口枠６に装着されて上下方向のヒンジピン３７を保持するピン保持部材３８と、防水扉１２に装着されて閉鎖状態において内外方向に長いヒンジピン嵌合用の長孔４０を有する長孔形成部材４１と、長孔４０に嵌合するヒンジピン３７を閉鎖状態において防水扉１２が開口枠６から遠くなる長孔４０の一端側に位置決めする位置決め手段４３で構成し、防水扉１２の枢着側竪縁部と自由端側竪縁部に夫々開口枠６に設けた係合部材２７と係合して防水扉１２を開口枠側へ引寄せる引寄せハンドル装置１５を装着してある。【選択図】  図２
2008031710.tif 000002
【特許請求の範囲】
【請求項１】
洪水などで水が浸入する可能性のある出入口部を備えた開口枠の竪枠に防水扉の枢着側竪縁部を蝶番装置により揺動可能に枢着し、防水扉と開口枠の一方を他方に装着されているシール部材に圧着させて出入口部を水密に塞ぐようにしてある防水扉装置において、蝶番装置を、開口枠と防水扉の一方に装着されて上下方向のヒンジピンを保持するピン保持部材と、開口枠と防水扉の他方に装着されて防水扉の閉鎖状態において内外方向に長いヒンジピン嵌合用の長孔を有する長孔形成部材と、長孔に嵌合するヒンジピンを防水扉の閉鎖状態において防水扉が開口枠から遠くなる長孔の一端側に位置決めする位置決め手段で構成し、防水扉の枢着側竪縁部と自由端側竪縁部に夫々開口枠に設けた係合部材と係合して防水扉の吊元側と先端側を開口枠側へ引寄せ可能な引寄せハンドル装置を装着して成る防水扉装置。
【請求項２】
長孔形成部材にヒンジピンの先端部が当接可能な傾斜面を防水扉の閉鎖状態において開口枠から遠いほど低くなるように設け、ヒンジピンを防水扉の自重によって傾斜面に当接させ、ヒンジピンを傾斜面で案内して長孔の一端側に位置決めするように位置決め手段を構成して成る請求項１記載の防水扉装置。
【請求項３】
ヒンジピンの先端部に設けた嵌合部と長孔形成部材の長孔奥部に設けた嵌合部との間に傾倒片を介在させ、傾倒片を防水扉の自重によって防水扉が開口枠から遠くなる側へ傾倒させてヒンジピンを長孔の一端側に位置決めするように位置決め手段を構成して成る請求項１記載の防水扉装置。
【請求項４】
ヒンジピンの先端部と長孔形成部材の長孔奥部との間に球体を介在させ、長孔形成部材とヒンジピンとの間にヒンジピンを防水扉の閉鎖状態において防水扉が開口枠から遠くなる側である長孔の一端側に付勢するバネを介在させ、バネの力で防水扉を開口枠から遠くなる側へ移動させてヒンジピンを長孔の一端側に位置決めするように位置決め手段を構成して成る請求項１記載の防水扉装置。
【請求項５】
開口枠に防水扉の縁部に対向可能な弾力を有するシール部材を設け、そのシール部材と対向可能な防水扉の縁部に防水扉の閉鎖側へ突出するエッジ部材を設け、防水扉を開口枠側へ引寄せることでエッジ部材がシール部材に食い込んで水密に塞ぐようにして成る請求項１乃至４の何れか１項に記載の防水扉装置。
【発明の詳細な説明】
【技術分野】
【０００１】
この発明は、ビル等の低層開口部に設置し、洪水時などにおける開口部からの水の浸入を防止する防水扉装置に関する。
【背景技術】
【０００２】
この種の防水扉装置として、特許文献１、2に開示されているように防水扉の一方の竪縁部を開口枠に揺動可能に枢着してある装置や、特許文献３、４に開示されているように防水扉の下縁部を床部に起倒可能に枢着してある装置が知られている。特許文献１に記載の装置は、一対の防水扉の竪縁部を二軸蝶番を介して開口枠に夫々枢着し、防水扉を閉鎖して複雑な引寄せ装置により引寄せることで防水扉に設けたパッキンを開口枠に圧着させて水密に塞ぐようになっている。特許文献２に記載の装置は、１枚の防水扉の竪縁部を二軸蝶番を介して開口枠に枢着し、防水扉を閉鎖して複雑な引寄せ装置により引寄せることで防水扉に設けたパッキンを開口枠に圧着させて水密に塞ぐようになっている。
【０００３】
また、特許文献３に記載の装置は、防水扉の下縁部をリンク蝶番を介して床部に枢着し、防水扉を駆動機構により起立させることで防水扉を扉枠に圧接させて水密に塞ぐようになっている。特許文献４に記載の装置は、防水扉の下縁部を蝶番を介してケースに枢着し、防水扉を起立方向に付勢するバネとダンパ機能付の付勢部材の力を利用して手動で起立させることで防水扉を扉枠に圧接させて水密に塞ぐようになっている。
【０００４】
【特許文献１】実開昭６１−１５５５９１号公報
【特許文献２】特開平７−２７９５５０号公報
【特許文献３】実開平６−６２１８２号公報
【特許文献４】特開平１０−２３８２４０号公報
【発明の開示】
【発明が解決しようとする課題】
【０００５】
上記特許文献１、２に記載の防水扉装置では、防水扉の竪縁部を二軸蝶番を介して開口枠に枢着しているので、防水扉を開閉する際に枢軸位置が移動し、通常の扉の開閉のようにスムーズに開閉できない問題があり、しかも、二軸蝶番や引寄せ装置の構造が複雑となってコスト高になる問題もある。また、二軸蝶番の場合、扉の開閉をスムーズにする為に一方の蝶番を着脱可能なピンでロックするものも提案されているが、このような二軸蝶番を使用する場合は、ロックの解除方法を知らない者は二軸蝶番の機能を必要とするときにその機能を利用できない問題があり、緊急性を要する防水扉装置に利用することが困難である。
また、特許文献３、４に記載の防水扉装置では、防水扉の下縁部を床部に枢着し、防水扉を通常は床板として利用し、水の浸入防止の際に防水扉を起立させるようになっているので、防水扉を出入口部開閉用の通常の扉として利用することは困難であり、出入口部開閉用の扉を別途必要とする問題がある。しかも、特許文献３では、防水扉を起立させる為の複雑な駆動機構を必要とし、製造コストが高くなって防水扉装置の普及を阻害する問題があり、特許文献４では、防水扉を起立方向に付勢するバネやダンパ機能付付勢部材を必要とし、製造コストが高くなる問題がある。
そこで、本発明は、通常は防水扉をスムーズに開閉できて出入口部開閉用の一般的な扉として利用でき、水の浸入防止の際には閉鎖した防水扉を開口枠側へ全体的に引寄せて水密に塞ぐことができるようにした簡易で安価な防水扉装置を提供するものである。
【課題を解決するための手段】
【０００６】
本願の請求項１の発明は、洪水などで水が浸入する可能性のある出入口部を備えた開口枠の竪枠に防水扉の枢着側竪縁部を蝶番装置により揺動可能に枢着し、防水扉と開口枠の一方を他方に装着されているシール部材に圧着させて出入口部を水密に塞ぐようにしてある防水扉装置において、蝶番装置を、開口枠と防水扉の一方に装着されて上下方向のヒンジピンを保持するピン保持部材と、開口枠と防水扉の他方に装着されて防水扉の閉鎖状態において内外方向に長いヒンジピン嵌合用の長孔を有する長孔形成部材と、長孔に嵌合するヒンジピンを防水扉の閉鎖状態において防水扉が開口枠から遠くなる長孔の一端側に位置決めする位置決め手段で構成し、防水扉の枢着側竪縁部と自由端側竪縁部に夫々開口枠に設けた係合部材と係合して防水扉の吊元側と先端側を開口枠側へ引寄せ可能な引寄せハンドル装置を装着して成ることを特徴とする。
【０００７】
請求項２の発明は、長孔形成部材にヒンジピンの先端部が当接可能な傾斜面を防水扉の閉鎖状態において開口枠から遠いほど低くなるように設け、ヒンジピンを防水扉の自重によって傾斜面に当接させ、ヒンジピンを傾斜面で案内して長孔の一端側に位置決めするように位置決め手段を構成して成ることを特徴とする。
また、請求項３の発明は、ヒンジピンの先端部に設けた嵌合部と長孔形成部材の長孔奥部に設けた嵌合部との間に傾倒片を介在させ、傾倒片を防水扉の自重によって防水扉が開口枠から遠くなる側へ傾倒させてヒンジピンを長孔の一端側に位置決めするように位置決め手段を構成して成ることを特徴とする。
請求項４の発明は、ヒンジピンの先端部と長孔形成部材の長孔奥部との間に球体を介在させ、長孔形成部材とヒンジピンとの間にヒンジピンを防水扉の閉鎖状態において防水扉が開口枠から遠くなる側である長孔の一端側に付勢するバネを介在させ、バネの力で防水扉を開口枠から遠くなる側へ移動させてヒンジピンを長孔の一端側に位置決めするように位置決め手段を構成して成ることを特徴とする。
請求項５の発明は、開口枠に防水扉の縁部に対向可能な弾力を有するシール部材を設け、そのシール部材と対向可能な防水扉の縁部に防水扉の閉鎖側へ突出するエッジ部材を設け、防水扉を開口枠側へ引寄せることでエッジ部材がシール部材に食い込んで水密に塞ぐようにして成ることを特徴とする。
【発明の効果】
【０００８】
本願の請求項１の発明は、蝶番装置を、開口枠と防水扉の一方に装着されて上下方向のヒンジピンを保持するピン保持部材と、開口枠と防水扉の他方に装着されて防水扉の閉鎖状態において内外方向に長いヒンジピン嵌合用の長孔を有する長孔形成部材と、長孔に嵌合するヒンジピンを防水扉の閉鎖状態において防水扉が開口枠から遠くなる長孔の一端側に位置決めする位置決め手段で構成し、防水扉の枢着側竪縁部と自由端側竪縁部に夫々開口枠に設けた係合部材と係合して防水扉の吊元側と先端側を開口枠側へ引寄せ可能な引寄せハンドル装置を装着しているので、蝶番装置のヒンジピンを防水扉が開口枠から遠くなる側である長孔形成部材の長孔の一端側に位置決めして防水扉を一般的な扉と同様にスムーズに開閉させることができ、防水扉を開口枠の出入口部を開閉する扉として利用できる。また、出入口部の水浸入防止の際には、蝶番装置のヒンジピンを長孔形成部材の長孔に案内させて開口枠側へ移動させることができ、その結果、防水扉の枢着側竪縁部と自由端側竪縁部を開口枠側へ全体的に引寄せ移動させて出入口部を水密に塞ぐことができる。しかも、装置全体を簡易な構成にして製造コストを低くでき、防水扉装置を幅広く普及せることができる。
【０００９】
本願の請求項２の発明は、長孔形成部材にヒンジピンの先端部が当接可能な傾斜面を防水扉の閉鎖状態において開口枠から遠いほど低くなるように設け、ヒンジピンを防水扉の自重によって傾斜面に当接させ、ヒンジピンを傾斜面で案内して長孔の一端側に位置決めするように位置決め手段を構成しているので、ヒンジピンを防水扉の自重により傾斜面で案内して位置決めでき、ヒンジピンを簡易な構成で確実に位置決めできる。
本願の請求項３の発明は、ヒンジピンの先端部に設けた嵌合部と長孔形成部材の長孔奥部に設けた嵌合部との間に傾倒片を介在させ、傾倒片を防水扉の自重によって防水扉が開口枠から遠くなる側へ傾倒させてヒンジピンを長孔の一端側に位置決めするように位置決め手段を構成しているので、傾倒片を防水扉の自重により僅かに傾倒させてヒンジピンを位置決めでき、ヒンジピンを簡易な構成で確実に位置決めでき、しかも、比較的小さな力で傾倒片を起立させることができ、その結果、防水扉を小さな力で容易に引寄せることができる。
【００１０】
本願の請求項４の発明は、ヒンジピンの先端部と長孔形成部材の長孔奥部との間に球体を介在させ、長孔形成部材とヒンジピンとの間にヒンジピンを防水扉の閉鎖状態において防水扉が開口枠から遠くなる側である長孔の一端側に付勢するバネを介在させ、バネの力で防水扉を開口枠から遠くなる側へ移動させてヒンジピンを長孔の一端側に位置決めするように位置決め手段を構成しているので、バネの力で球体を転動させてヒンジピンを確実に位置決めでき、しかも、防水扉を高さを変えることなく引寄せることができ、その結果、防水扉を比較的小さな力で容易に正確に引寄せることができる。
本願の請求項５の発明は、開口枠に防水扉の縁部に対向可能な弾力を有するシール部材を設け、そのシール部材と対向可能な防水扉の縁部に防水扉の閉鎖側へ突出するエッジ部材を設け、防水扉を開口枠側へ引寄せることでエッジ部材がシール部材に食い込んで水密に塞ぐようにしているので、防水扉のエッジ部材をシール部材に大きく食い込ませてシールでき、開口枠の出入口部を防水扉によって水密に塞いで浸水を確実に阻止できる。
【発明を実施するための最良の形態】
【００１１】
本願発明の第一実施形態を図１〜図６に基づいて説明する。図１は防水扉装置の全体を示す正面図、図２は引寄ハンドル装置を示す図１のＡ−Ａ線拡大断面図、図３は蝶番装置を示す図２の矢印Ｂから視た矢視拡大図、図４は図３のＣ−Ｃ線断面図、図５は図１の矢印Ｄから視た矢視拡大図、図６〜図８は防水扉装置の作動を説明する図である。
図１、２において、防水扉装置1は、洪水などで水が浸入する可能性のある場所の例えばビル等の建物躯体２に形成された開口３に嵌め込まれ、建物躯体２との間にコーキング材が充填されて固定的に装着されている。防水扉装置1は、洪水などで水が浸入する可能性のある縦長の矩形の出入口部（開口部）５を有する開口枠６と、吊元側が開口枠６の枢着側竪枠７に上下一対の蝶番装置１０によって枢着されている防水扉１２と、防水扉１２の吊元側（枢着側竪縁部とも記す）と先端側（自由端側竪縁部とも記す）の室内側に夫々装着されている上下一対の引寄ハンドル装置１５を備えている。
【００１２】
開口枠６には、一対の竪枠7と上枠８と下枠９との開口側面に、見込幅の中間部から開口側へ張出す扉受部１７が全周に亘って設けられ、これらの扉受部１７の室外側に扉受部１７の先端から室外側へ張出す保持片１８を設けることによってシール部材嵌合溝２１が夫々形成されている。一対の竪枠７と上枠８と下枠９とのシール部材嵌合溝２１は互いに連続され、開口枠６の全周に亘って環状に形成されている。シール部材嵌合溝２１には、シリコン材料から成る中空筒状のシール部材２５が全長に亘って嵌合され、接着剤によって固着されている。シール部材２５は中空筒状に限るものではなく、中実の弾性を有するシール材料から成るものでも良い。シール部材２５は開口枠６の全周に亘って防水扉１２の縁部に対向可能に位置されている。また、竪枠７の扉受部１７の室内側には、前記上下一対の引寄ハンドル装置１５と対応する位置に引寄せハンドル装置１５の引寄せローラ５０と係合可能な係合部材２７が取着されている。係合部材２７は、図５に示すように係合斜面２７ａと係合凹部２７ｂを備え、引寄せハンドル装置１５と共に防水扉１２を開口枠６側（防水扉１２の閉鎖側）へ引寄せる引寄せ装置２８を構成している。
【００１３】
防水扉１２には、シール部材２５と対向可能な縁部に防水扉１２の閉鎖側へ突出するエッジ部材２９が全周に亘って設けられている。エッジ部材２９は、防水扉１２全体を開口枠６側（防水扉１２の閉鎖側）へ引寄せることでシール部材２５に大きく食い込んで両者間を水密に塞ぐようになっている。また、図示の防水扉１２では、扉高さの約半分程度の高さまでの浸水を防止することを想定し、防水扉１２の上部にガラス３０が嵌め込まれている明かりとり用の小窓３１が設けられているが、扉高さ全体までの浸水を防止する場合には小窓３１を無くすことが好ましい。また、防水扉１２には、浸水防止の際の防水扉１２の強度を維持する為に、防水扉１２の横幅全長に亘る複数本（図では５本）の補強枠３３が所定間隔あけて組み込まれている。
【００１４】
蝶番装置１０は、図３、４に示すように、開口枠６の枢着側竪枠７に取付ねじ３６によって装着されて上下方向のヒンジピン３７を上向きに保持するピン保持部材３８と、防水扉１２の枢着側縁部に取付ねじ３９によって装着されて防水扉１２の閉鎖状態において室内外方向に長いヒンジピン嵌合用の長孔４０を有する長孔形成部材４１と、長孔４０に嵌合するヒンジピン３７を防水扉１２の閉鎖状態において防水扉１２が開口枠６から遠くなる側である長孔４０の一端側に位置決めする位置決め手段４３とで構成されている。位置決め手段４３は、長孔形成部材４１にヒンジピン３７の先端部が当接可能でかつ閉鎖状態において開口枠６から遠いほど低くなる傾斜面４５ａを有する傾斜ブロック４５を長孔４０の上側を覆うように長孔形成部材４１に取付ねじ４６によって固着して構成されている。傾斜ブロック４５の傾斜面４５ａは、防水扉１２の自重によってヒンジピン３７に当接し、ヒンジピン３７に対して室外側へ相対的に案内されて移動され、その結果、長孔４０の一端側（開口枠６側縁部）がヒンジピン３７に当接して位置決めされるようになっている。
【００１５】
なお、図では、開口枠６にピン保持部材３８を装着し、防水扉１２に長孔形成部材４１を装着するものを示しているが、防水扉１２にヒンジピン３７を保持するピン保持部材３８を下向きに装着し、開口枠６に室内外方向に長い長孔４０を有する長孔形成部材４１を装着し、位置決め手段４３を構成する傾斜ブロック４５を長孔形成部材４１にその傾斜面４５ａが長孔４０の下側を覆うように設けても良い。即ち、ピン保持部材３８は、開口枠６と防水扉１２の一方に装着されて上下方向のヒンジピン３７を保持し、長孔形成部材４１は、開口枠６と防水扉１２の他方に装着されて防水扉１２の閉鎖状態において内外方向に長いヒンジピン嵌合用の長孔４０を備え、位置決め手段４３は、長孔４０に嵌合するヒンジピン３７を防水扉１２の閉鎖状態において防水扉１２が開口枠６から遠くなるように長孔４０の一端側に位置決めするものであれば良い。
【００１６】
引寄ハンドル装置１５は、図１、２に示すように、図示しない支軸を中心にして所定角度回動可能な引寄ハンドル４８とその引寄ハンドル４８と一体回動可能に設けられた引寄せアーム４９と、その引寄せアーム４９に回動自在に設けた引寄せローラ５０とを備え、引寄ハンドル４８を上向きから斜め上向きに回動操作すると、引寄せアーム４９の引寄せローラ５０が図５に示すように係合部材２７の係合斜面２７ａに係合して防水扉１２を開口枠６側（防水扉１２の閉鎖側）へ引寄せた後、係合部材２７の係合凹部２７ｂに係合して位置保持されるようになっている。
【００１７】
図１〜５に示した防水扉装置においては、防水扉１２を引寄ハンドル装置１５によって引寄せ操作しない状態では、防水扉１２に装着された長孔形成部材４１の長孔４０の一端側（開口枠６側縁部）がヒンジピン３７に当接されて位置決めされ、防水扉１２の枢着側竪縁部が開口枠６の枢着側竪枠７から適当量離れた状態でヒンジピン３７を中心に揺動可能に維持される。従って、位置決めされている長孔形成部材４１の長孔４０の一端側（開口枠６側縁部）を中心にして防水扉１２を通常の扉と同様にスムーズに安定して開閉動作させることができる。また、防水扉１２を閉じた状態で自由端側の上側の引寄ハンドル装置１５の引寄ハンドル４８を回動させて引寄せアーム４９の引寄せローラ５０を係合部材２７に係合させることで、防水扉１２を閉鎖状態に保持でき、通常の防犯扉として外部からの不審者の侵入を阻止できる。
【００１８】
また、洪水発生等により開口枠６の出入口部５からの水浸入が予想される場合には、防水扉１２を閉じた状態で、図６、７に示すように、枢着側の引寄ハンドル装置１５の引寄ハンドル４８を夫々回動させて引寄せアーム４９の引寄せローラ５０を係合部材２７に係合させると、図８に示すように、蝶番装置１０のヒンジピン３７が長孔４０の一端側から他端側に相対移動することで防水扉１２の枢着側部分が開口枠６側へ引寄せ移動され、開口枠６の縁部に備えたエッジ部材２９がシール部材２５に大きく食い込んで両者間を水密に塞ぐことができる。同様に、自由端側の引寄ハンドル装置１５の引寄ハンドル４８を夫々回動させて引寄せアーム４９の引寄せローラ５０を係合部材２７に係合させると、防水扉１２の自由端側部分が開口枠６側へ引寄せ移動され、開口枠６の縁部に備えたエッジ部材２９がシール部材２５に大きく食い込んで両者間を水密に塞ぐことができる。従って、防水扉１２に備えたエッジ部材２９が全周に亘ってシール部材２５に大きく食い込んで開口枠６の出入口部５を水密に塞ぐことができ、浸水を確実に防止できる。防水扉１２の外側に水が押し寄せると防水扉１２に大きな水圧が作用するが、防水扉１２に補強用の補強枠３３を組み込んであるので、防水扉１２の水圧による変形を小さくでき、浸水を長時間に亘って確実に防止できる。
【００１９】
次に、図９は、防水扉装置１の他の実施形態を示す横断面図で、引寄ハンドル装置１５を防水扉１２の室外側に装着すると共に、係合部材２７を開口枠６の室外側に固着し、防水扉１２の外側で引寄ハンドル装置１５を操作して防水扉１２を開口枠６側（防水扉１２の閉鎖側）へ引寄せるようになっている。なお、先の実施形態に対応する箇所には先の実施形態の符号と同じ符号を付して重複説明を省略する。また、図９の実施形態や先の実施形態に示す防水扉装置１は、室内側と室外側が逆になるように使用しても良いが、浸水防止の際の水圧が防水扉を開放させる方向へ作用するので、引寄ハンドル装置１５の強度を大きくしたり、個数を増やしたりすると良い。
【００２０】
図１０〜１２は、蝶番装置１０の他の実施形態を示すもので、蝶番装置１０の位置決め手段４３Ｐを次のように構成したものである。即ち、開口枠６に装着するピン保持部材３８のヒンジピン３７の先端部に嵌合部３７ａを設け、防水扉１２に装着する長孔形成部材４１の長孔４０の奥部に嵌合部４０ａを設け、ヒンジピン３７の嵌合部３７ａと長孔形成部材の嵌合部４０ａとの間に傾倒片５５を介在させ、傾倒片５５を防水扉１２の自重によって防水扉１２が開口枠６から遠くなる側へ傾倒してヒンジピン３７を長孔４０の一端側に位置決めするようにしてある。
この位置決め手段４３Ｐにおいては、傾倒片５５が僅かに傾くことで長孔形成部材４１の長孔４０の一端側をヒンジピン３７によって位置決めするようにしてあるので、図１２に示すように防水扉１２を僅かに引き起こすことで小さい力で引寄せることができ、しかも、引寄せに伴う防水扉１２の上下高さの変動を少なくできる利点がある。
【００２１】
図１３〜１５は、蝶番装置１０の別の実施形態を示すもので、蝶番装置１０の位置決め手段４３Ｑを次のように構成したものである。即ち、開口枠６に装着するピン保持部材３８のヒンジピン３７の先端部と防水扉１２に装着する長孔形成部材４１の長孔４０の奥部との間に球体５７を介在させ、長孔形成部材４１とヒンジピン３７との間にヒンジピン３７を防水扉１２の閉鎖状態において防水扉１２が開口枠６から遠くなる側である長孔４０の一端側に付勢するバネ５９（図ではねじりコイルバネを示す）を介在させ、バネ５９の力で防水扉１２を開口枠６から遠くなる側へ移動させてヒンジピン３７を長孔４０の一端側に位置決めするようになっている。図では、バネ５９を長孔形成部材４１に保持させ、そのバネ５９のバネ力がヒンジピン３７に作用するようになっている。なお、バネ５９をピン保持部材３８に保持させ、そのバネ５９のバネ力が長孔形成部材４１に作用するようにしても良い。
この位置決め手段４３Ｑにおいては、ヒンジピン３７の先端部と長孔４０の奥部との間に球体５７を介在させているので、図１５に示すように球体５７を転がすことで防水扉１２を室内外方向へ小さい力で引寄せることができ、しかも、バネ５９の力でヒンジピン３７を長孔４０の一端側に位置決めするようにしてあるので、防水扉１２の引寄せに伴う防水扉１２の上下高さの変動をなくすことができる利点がある。
【図面の簡単な説明】
【００２２】
【図１】本願発明の防水扉装置の全体を示す正面図である。
【図２】図１のＡ−Ａ線拡大断面図である。
【図３】図２の矢印Ｂ方向から視た蝶番装置の矢視拡大図である。
【図４】図３のＣ−Ｃ線断面図である。
【図５】図１の矢印Ｄ方向から視た引寄せハンドル装置の要部を示す矢視拡大図である。
【図６】防水扉の閉鎖引寄せ状態を示す防水扉装置の全体を示す正面図である。
【図７】図６のＥ−Ｅ線拡大断面図である。
【図８】図４の蝶番装置の作動状態を示す断面図である。
【図９】防水扉装置の他の実施形態を示す断面図である。
【図１０】蝶番装置の他の実施形態を示す正面図である。
【図１１】図１０のＦ−Ｆ線断面図である。
【図１２】図１１の蝶番装置の作動状態を示す断面図である。
【図１３】蝶番装置の別の他の実施形態を示す正面図である。
【図１４】図１３のＧ−Ｇ線断面図である。
【図１５】図１４の蝶番装置の作動状態を示す断面図である。
【符号の説明】
【００２３】
１    防水扉装置
５    出入口部
６    開口枠
７    竪枠
１０    蝶番装置
１２    防水扉
１５    引寄せハンドル装置
２７    係合部材  
３７    ヒンジピン  
３７ａ  嵌合部
３８    ピン保持部材
４０    長孔
４０ａ  嵌合部
４１    長孔形成部材
４３    位置決め手段
４５ａ  傾斜面
５５    傾倒片
５７    球体
５９    バネ
【図１】
2008031710.tif 000003
【図２】
2008031710.tif 000004
【図３】
2008031710.tif 000005
【図４】
2008031710.tif 000006
【図５】
2008031710.tif 000007
【図６】
2008031710.tif 000008
【図７】
2008031710.tif 000009
【図８】
2008031710.tif 000010
【図９】
2008031710.tif 000011
【図１０】
2008031710.tif 000012
【図１１】
2008031710.tif 000013
【図１２】
2008031710.tif 000014
【図１３】
2008031710.tif 000015
【図１４】
2008031710.tif 000016
【図１５】
2008031710.tif 000017